(57)【要約】【課題】  画像読取形成装置における画像読取部と画像形成部の双方のレジスト補正が、容易にできるようにすることである。【解決手段】  複写装置１００（画像読取形成装置）のスキャナ部２３０に、横基準線３５が設けられた原稿Ｓ（基準チャート）を読み取らせて、そのときのずれ量（Ｘｓ）を検出する。このとき、プリンタ部２１０により横基準線３５ｂを印字して出力された用紙３を、再度スキャナ部２３０に読み取らせ、プリンタ部２１０におけるずれ量（Ｘｐ）を検出する。スキャナ部２３０で原稿Ｓを読み取るときに、その読取開始位置をずれ量（Ｘｓ）の分だけずらすとともに、プリンタ部２１０で用紙３に印字するときに、その印字開始位置をずれ量（Ｘｐ）だけずらす。【選択図】  図５
2009300498.tif 000002
【特許請求の範囲】
【請求項１】
原稿の画像の読取りを行う画像読取部と、前記画像読取部で読み取られた画像のデータを受け取り、そのデータを用紙に形成して出力する画像形成部と、を備えた画像読取形成装置のレジスト補正方法であって、
前記画像読取部で所定の基準線が設けられた特定の原稿を読み取り、前記画像読取部において前記基準線が読み取られるべき位置からの第１ずれ量を検出し、
次に、前記画像形成部において前記ずれて読み取られた基準線を形成して出力された用紙を、前記画像読取部で再度読み取ることにより、前記画像形成部において前記ずれて読み取られた基準線が形成されるべき位置からの第２ずれ量を検出し、
前記画像読取部で原稿の画像を読み取るときに、前記第１ずれ量の分だけ読取開始位置を補正するとともに、前記画像形成部で読取画像を形成するときに、前記第２ずれ量の分だけ形成開始位置を補正することを特徴とする画像読取形成装置のレジスト補正方法。
【請求項２】
前記特定の原稿は、その搬送方向及び／又は搬送方向と直交する方向に基準線が設けられた基準チャートであることを特徴とする請求項１に記載の画像読取形成装置のレジスト補正方法。
【請求項３】
前記画像読取部及び前記画像形成部には、それぞれ記憶部が設けられていて、
前記第１及び第２のずれ量は、対応する記憶部に書き換え可能に記憶されることを特徴とする請求項１又は２に記載の画像読取形成装置のレジスト補正方法。
【発明の詳細な説明】
【技術分野】
【０００１】
本発明は、画像読取形成装置におけるレジスト補正方法に関するものである。
【背景技術】
【０００２】
近時、原稿を読み取るためのスキャナ部（画像読取部）と、その読取画像を用紙に形成して出力するプリンタ部（画像形成部）とを一体に備えた画像読取形成装置（例えば、スキャナ、プリンタ、ファクシミリ等が一体に形成された複合機）が公知である。
【０００３】
この種の画像読取形成装置では、スキャナ部における読取開始位置のずれ（レジスト）と、プリンタ部における印字開始位置のずれ（レジスト）が存在する場合があり、一方のずれを補正しても他方のずれが残ってしまう。ずれを補正しない状態で使用すると、出力される用紙に形成された画像に色ずれ等の不具合が生じ、その品質が低下してしまう。
【０００４】
ここで、従来の画像形成装置において、所定のパターンが形成された基準チャートを出力させ、その用紙に形成されたパターンのずれに基づいて、手動で印字開始位置を補正するレジスト補正方法が公知である（例えば、特許文献１又は２を参照）。しかし、これらの公報に開示された技術は、いずれもプリンタ部におけるレジスト補正方法であり、画像読取形成装置におけるスキャナ部とプリンタ部とのずれを同時に補正することは困難である。また、使用者が手動で補正するため、誤差が生じ易く、かつ面倒である。
【特許文献１】特開２００７−１０７４４号公報
【特許文献２】特開２００７−２７６３４８号公報
【発明の開示】
【発明が解決しようとする課題】
【０００５】
本発明は、上記した不具合に鑑み、画像読取形成装置における画像読取部と画像形成部の双方のレジスト補正が、容易にできるようにすることを課題としている。
【課題を解決するための手段及び発明の効果】
【０００６】
上記した課題を解決するための本発明は、
原稿の画像の読取りを行う画像読取部と、前記画像読取部で読み取られた画像のデータを受け取り、そのデータを用紙に形成して出力する画像形成部と、を備えた画像読取形成装置のレジスト補正方法であって、
前記画像読取部で所定の基準線が設けられた特定の原稿を読み取り、前記画像読取部において前記基準線が読み取られるべき位置からの第１ずれ量を検出し、
次に、前記画像形成部において前記ずれて読み取られた基準線を形成して出力された用紙を、前記画像読取部で再度読み取ることにより、前記画像形成部において前記ずれて読み取られた基準線が形成されるべき位置からの第２ずれ量を検出し、
前記画像読取部で原稿の画像を読み取るときに、前記第１ずれ量の分だけ読取開始位置を補正するとともに、前記画像形成部で読取画像を形成するときに、前記第２ずれ量の分だけ形成開始位置を補正することを特徴としている。
【０００７】
本発明に係る画像読取形成装置のレジスト補正方法は、上記したように構成されていて、基準線が設けられた特定の原稿を画像読取部で読み取ることにより、画像読取部における第１ずれ量を検出し、ずれて読み取られた基準線を形成して出力された用紙を、再度画像読取部で読み取ることにより、画像形成部における第２ずれ量を検出している。即ち、特定の原稿を、画像読取部で２回読み取らせるだけで、画像読取部及び画像形成部におけるずれ量が検出できるため、レジストの補正作業が極めて容易である。
【０００８】
特定の原稿は、例えば、その搬送方向及び／又は搬送方向と直交する方向に基準線が設けられた基準チャートとすることができる。
【０００９】
また、前記画像読取部及び前記画像形成部には、それぞれ記憶部が設けられていて、前記第１及び第２のずれ量を、対応する記憶部に書き換え可能に記憶させてもよい。これにより、定期的にレジスト補正を行うことができ、常に高品質画像を形成した用紙を出力することができる。
【発明を実施するための最良の形態】
【００１０】
本発明の実施例について説明する。本明細書では、画像読取形成装置の一例である複写装置１００について説明する。図１は本実施例の複写装置１００の全体を示す図、図２はスキャナ部２３０とプリンタ部２１０のブロック図、図３は基準チャートを示す図である。
【実施例１】
【００１１】
図１に示されるように、本実施例の複写装置１００は、複写装置本体２００と、その上面（原稿テーブル１）に設置された自動原稿搬送装置３００とを備えている。複写機本体２００は、感光体２等を有するプリンタ部２１０（画像形成部）と、プリンタ部２１０へ用紙３を供給する給紙部２２０と、プリンタ部２１０の上方に設けられるスキャナ部２３０（画像読取部）とを備えている。そして、プリンタ部２１０の感光体２の周辺部には帯電部４、露光部５、現像部６、転写部７、感光体２のクリーニング部８、定着部９等の作像機器が配置されている。また、原稿テーブル１には、自動原稿搬送装置３００によって搬送される原稿Ｓを読み取るときの読取り位置となるスリットガラス１１と、原稿テーブル上に静止状態で載置された原稿Ｓを読み取るときの読取り位置となるコンタクトガラス１２とが並設されている。
【００１２】
原稿テーブル１におけるスリットガラス１１とコンタクトガラス１２との間の部分には、スケール部１３が設けられている。原稿Ｓをコンタクトガラス１２に載置するとき、原稿Ｓの端部をスケール部１３に当接させて位置決めを行う。
【００１３】
スキャナ部２３０におけるスリットガラス１１の直下には、読取ユニット４００が設けられている。この読取ユニット４００は、レンズ、ランプ、ミラー類及びＣＣＤを内装した読取キャリッジ１４と、読取キャリッジ１４を矢印１５の方向に往復移動させるためのワイヤ１６と、ワイヤ１６に張力を付与した状態で支持するためのプーリ１７と、ワイヤ１６を周回走行させるためのキャリッジ駆動モータ１８とを備えている。読取ユニット４００の読取キャリッジ１４が往復移動することにより、コンタクトガラス１２に載置された原稿Ｓが読み取られる。また、自動原稿搬送装置３００が使用されるときは、読取ユニット４００の読取キャリッジ１４がスリットガラス１１の位置に移動して、自動原稿搬送装置３００によって供給される原稿Ｓが読み取られる。即ち、この読取ユニット４００は、スリットガラス１１に供給される原稿Ｓと、コンタクトガラス１２に載置される原稿Ｓの双方を読み取ることができるように共用されている。
【００１４】
複写装置１００の動作を簡単に説明する。自動原稿搬送装置３００の原稿トレイ２１にセットされた原稿Ｓは、自動原稿搬送装置３００に内装されたローラ２２によって下流側に送出される。送出された原稿Ｓの画像は、読取キャリッジ１４に内装されたＣＣＤに読み取られて電気信号に変換される。また、コンタクトガラス１２に載置された原稿Ｓも、読取キャリッジ１４が往復移動することによりＣＣＤに読み取られて電気信号に変換される。
【００１５】
複写機本体２００の給紙部２２０では、給紙カセット２３の用紙３がローラ対２４によって上方に搬送される。プリンタ部２１０では、所定方向に回転する感光体２が帯電部４によって一様に帯電する。露光部５からの露光により、感光体２上の電荷が部分的に消失し、静電潜像が形成される。この静電潜像は、その電荷の光分布に応じて現像部６からトナーに転移し、可視像化される。この画像形成と同期してレジストローラ２５が駆動回転し、転写部７に搬送された用紙３にトナーが転写される。転写されたトナーは、定着部９で用紙３に定着される。これにより、画像が形成された用紙３が装置外に排出される。
【００１６】
次に、スキャナ部２３０について説明する。図１及び図２に示されるように、複写装置１００の複写開始スイッチ（図示せず）が操作されると、自動原稿給紙装置３００の原稿トレイ２１にセットされた原稿Ｓはローラ２２によって送出され、レンズ、ランプ、ＣＣＤ等を備えた読取キャリッジ１４（図２においては、「読取手段」と記載している。）の作用により、電気信号に変換される。即ち、読取キャリッジ１４のＣＣＤに入射した原稿Ｓの画像の濃淡による反射光が、光の強弱に応じた電圧値のアナログの電気信号に変換される。このアナログの電気信号は、奇数ビットと偶数ビットに分けられる。そして、このアナログの電気信号から暗電位が除去され、奇数ビットと偶数ビットの各信号が合成され、所定の振幅にゲイン調整され、Ａ／Ｄコンバータ（図示せず）によりデジタルの電気信号に変換される。
【００１７】
図２に示されるように、デジタルの電気信号に変換された読取画像データは、読取画像処理部２６に伝送される。読取画像処理部２６では、読取画像データに対してガンマ変換、階調変換、サイズ変換、色変換等の処理がなされる。処理された読取画像データは、いったんスキャナメモリ部２７に記憶される。そして、インターフェース部２８を介してプリンタ部２１０に伝送される。
【００１８】
プリンタ部２１０に伝送された読取画像データは、プリンタ部２１０のインターフェース部２９を介してプリント画像処理部３１に入力される。プリント画像処理部３１では、主にプリンタの発色に合わせて色変換が行われる。色変換された読取画像データは、プリンタメモリ部３２に記憶される。そして、プリンタメモリ部３２から読み出されて印字手段３３に送られ、用紙３に印字されて装置外に出力される。
【００１９】
次に、本実施例の複写装置１００におけるレジスト補正方法について説明する。最初に、複写装置１００のスキャナ部２３０に、レジスト補正の基準となる原稿Ｓ（基準チャート）を読み取らせる。図３に示されるように、この原稿Ｓは所定の大きさ（例えば、Ａ３サイズ）の大きさの紙であり、表面（画像形成面）には、その搬送方向Ｐ（縦方向、副走査方向）及び搬送方向Ｐと直交する方向Ｑ（横方向、主走査方向）に沿ってそれぞれ基準線（縦基準線３４と横基準線３５）が設けられている。各基準線３４，３５の幅（厚み）は全長に亘って一定である。そして、縦基準線３４は、原稿Ｓの左上端のコーナー部から横方向に一定の長さＬ１の位置に設けられていて、横基準線３５は、原稿Ｓの左上端のコーナー部から縦方向に一定の長さＬ２の位置に設けられている。
【００２０】
本実施例の複写装置１００に、原稿Ｓ（基準チャート）を読み取らせた場合の作用について説明する。なお、縦横の基準線３４，３５の作用はいずれも同じなので、本明細書では、横基準線３５の場合についてのみ説明する。図４の（ａ）に示されるように、原稿Ｓをスキャナ部２３０に読み取らせたとき、横基準線３５が搬送方向Ｐに所定長さＸｓ（第１ずれ量）だけずれたとする。このとき、スキャナメモリ部２７（図２参照）には、搬送方向Ｐに所定長さＸｓだけずれた横基準線３５ａが記憶される。スキャナメモリ部２７に記憶されたデータを分析すれば、スキャナ部２３０における横基準線３５ａのずれ量（Ｘｓ）を検出できる。この横基準線３５ａは、スキャナメモリ部２７内でのみ認識される仮想的な線であるため、破線で示す。なお、図４において、ずれがない場合における横基準線３５を二点鎖線で示す。
【００２１】
前述したように、読取画像処理部２６（図２参照）で所定の処理がなされた読取画像データがプリンタ部２１０に伝送され、プリント画像処理部３１において色変換がされた後、印字手段３３（図２参照）により用紙３に印字されて出力される。図４の（ｂ）に、出力された用紙３を示す。図４の（ｂ）は、プリンタ部２１０で読取画像データを印字したとき、搬送方向Ｐに所定長さＸｐ（第２ずれ量）だけずれた横基準線３５ｂが印字された状態を示している。この横基準線３５ｂは、実際に視認されるものであるため、最初の横基準線３５からのずれ量（Ｘｓ＋Ｘｐ）を実測することにより、本実施例の複写装置１００におけるスキャナ部２３０とプリンタ部２１０とにおけるずれ量の概略値（それぞれのずれ量の和）を算出することは可能である。しかし、このままでは、手動によるレジストの補正であり、誤差を有するとともに面倒である。
【００２２】
このため、本実施例の複写装置１００のレジスト補正方法では、図５の（ｃ）に示されるように、上記したようにして出力された用紙３を、再度スキャナ部２３０で読み取らせている。ここで、本実施例の複写装置１００のスキャナ部２３０におけるずれ量（Ｘｓ）が常に一定であるとする。スキャナ部２３０で再度、読み取られた横基準線３５ｃは、ずれがない場合に読み取られるべき横基準線３５ｂに対して、搬送方向Ｐに所定長さＸｓだけずれて、スキャナメモリ部２７に記憶される。即ち、スキャナメモリ部２７には、最初の横基準線３５に対して搬送方向Ｐに長さ（Ｘｓ＋Ｘｐ＋Ｘｓ＝２Ｘｓ＋Ｘｐ）だけずれた横基準線３５ｃが記憶される。スキャナ部２３０におけるずれ量（Ｘｓ）は、既に検出されている。このため、再度の読取り操作のときにスキャナメモリ部２７に記憶されたデータを分析すれば、プリンタ部２１０におけるずれ量（Ｘｐ）を検出できる。
【００２３】
そして、この状態でスキャナメモリ部２７に記憶された読取画像データ（図５の（ｃ）の状態）を印字手段３３で印字させると、図５の（ｄ）に示されるように、横基準線３５ｃに対して搬送方向Ｐに所定長さＸｐだけずれた横基準線３５ｄが印字された用紙３が出力される。なお、本実施例の複写装置１００のプリンタ部２１０におけるずれ量（Ｘｐ）は、常に一定であるものとする。
【００２４】
上記した結果、本実施例の複写装置１００におけるスキャナ部２３０におけるずれ量（Ｘｓ）とプリンタ部２１０におけるずれ量（Ｘｐ）が検出される。そして、これらのずれ量（Ｘｓ，Ｘｐ）を、予めスキャナメモリ部２７及びプリンタメモリ部３２に記憶させておき、原稿Ｓの画像を読み取るときにずれ量（Ｘｓ）だけ読取開始位置をずらすとともに、読取画像を印字するときにずれ量（Ｘｐ）だけ印字開始位置をずらすことができる。これにより、高品質の画像が形成された用紙３を出力することができる。
【００２５】
スキャナメモリ部２７及びプリンタメモリ部３２への記憶を、書き換え可能とすることが望ましい。これにより、定期的にスキャナ部２３０及びプリンタ部２１０でのずれ量（Ｘｓ，Ｘｐ）を検出し、常に高品質の画像が形成された用紙３を出力させることができる。
【図面の簡単な説明】
【００２６】
【図１】本実施例の複写装置１００の全体を示す図である。
【図２】スキャナ部２３０とプリンタ部２１０のブロック図である。
【図３】本実施例の基準チャートを示す図である。
【図４】（ａ）はスキャナメモリ部２７に記憶された基準チャートを示し、（ｂ）は実際に出力された用紙３を示す図である。
【図５】（ｃ）は再度の読取りによってスキャナメモリ部２７に記憶された基準チャートを示し、（ｄ）は実際に出力された用紙３を示す図である。
【符号の説明】
【００２７】
１００  複写装置（画像読取形成装置）
２１０  プリンタ部（画像形成部）
２３０  スキャナ部（画像読取部）
３  用紙
２７  スキャナメモリ部（記憶部）
３２  プリンタメモリ部（記憶部）
３４  縦基準線（基準線）
３５  横基準線（基準線）
Ｐ  搬送方向
Ｑ  搬送方向と直交する方向
Ｓ  原稿
Ｘｓ  長さ（第１ずれ量）
Ｘｐ  長さ（第２ずれ量）
【図１】
2009300498.tif 000003
【図２】
2009300498.tif 000004
【図３】
2009300498.tif 000005
【図４】
2009300498.tif 000006
【図５】
2009300498.tif 000007